(57)【要約】【課題】  防犯機能を備えたクレセント錠を提供する。【解決手段】  窓枠(50)に取り付け可能なクレセントベース(12)と、クレセントベースに回動自在に取り付けられたクレセント(16)と、回動軸(14)に取り付けられクレセントを回動させるクレセントハンドル(18)とを備えたクレセント錠(10)であり、クレセントハンドル内に、窓ガラスの破壊行為またはクレセントハンドルの回動行為の双方を検知し得るセンサ(20)と、センサからの信号に基づいて窓ガラスの破壊行為またはクレセントハンドルの回動行為が行われたことを認識するマイクロコンピュータ(22)と、窓ガラスの破壊行為またはクレセントハンドルの回動行為が認識されたときに電波を介して警報信号を送信する送信部を備えた通信回路(24)と、前記センサ、前記マイクロコンピュータ、前記通信回路に電力を供給する電池(26)とを収容する。【選択図】            図１
2005036572.tif 000002
【特許請求の範囲】
【請求項１】
窓枠に取り付け可能なクレセントベースと、当該クレセントベースに回動自在に取り付けられたクレセント部材とを備えたクレセント錠であって、
当該クレセント部材は、窓枠の振動および前記クレセント部材の変位を検知し得るセンサを備えることを特徴とする防犯機能を有するクレセント錠。
【請求項２】
前記クレセント部材は、クレセントとクレセントハンドルとからなり、前記センサはクレセントハンドルに取り付けられていることを特徴とする請求項１記載の防犯機能を有するクレセント錠。
【請求項３】
前記クレセント部材は、前記センサからの信号を演算する演算部と、演算結果を電波を介して送信する通信部と、演算部と通信部へ電力を供給する電池とを備えていることを特徴とする請求項１または２に記載の防犯機能を有するクレセント錠。
【請求項４】
前記センサは加速度センサもしくは傾斜センサであることを特徴とする請求項１ないし３のいずれか１項に記載の防犯機能を有するクレセント錠。
【請求項５】
窓枠に取り付け可能なクレセントベースと、当該クレセントベースに回動自在に取り付けられたクレセント部材とを備えたクレセント錠であって、
当該クレセント部材の変位を検知し得る変位検知センサが設けられ、前記窓枠とクレセントベースとの間に衝撃を検知する衝撃検知センサが設けられていることを特徴とする防犯機能を有するクレセント錠。
【請求項６】
前記クレセント部材は、前記変位検知センサおよび衝撃検知センサからの信号を演算する演算部と、演算結果を電波を介して送信する通信部と、演算部と通信部へ電力を供給する電池とを備えていることを特徴とする請求項５に記載の防犯機能を有するクレセント錠。
【請求項７】
前記衝撃検知センサは圧電センサであり、前記変位検知センサはクレセントハンドルの変位を検知する傾斜センサまたは加速度センサであることを特徴とする請求項５または６に記載の防犯機能を有するクレセント錠。
【請求項８】
前記クレセント部材には、窓枠の振動、および／またはクレセント部材の回動を検知したときに警報音を発する警報装置が設けられていることを特徴とする請求項１ないし７のいずれか１項に記載の防犯機能を有するクレセント錠。
【請求項９】
前記通信部は、クレセント錠固有のＩＤを記憶する記憶部を備え、当該ＩＤを付して前記演算結果を送信することを特徴とする請求項３または請求項６に記載の防犯機能を有するクレセント錠。
【請求項１０】
前記クレセントベースには、前記クレセント部材と対を成す係止片が前記クレセント部材に対して施錠可能な位置にあるときにのみ、前記クレセント部材の回動を許容する誤施錠防止装置が設けられていることを特徴とする請求項１ないし９のいずれか１項に記載の防犯機能を有するクレセント錠。
【請求項１１】
前記クレセントベースは、既存のクレセント錠と同一の取り付け方法により前記窓枠に取り付け可能な構造としたことを特徴とする請求項１ないし１０のいずれか１項に記載の防犯機能を有するクレセント錠。
【請求項１２】
請求項９に記載の防犯機能を有するクレセント錠と、当該クレセント錠から電波を介して送信される演算結果による警報出力を受信し警報信号を発する制御装置とを有することを特徴とするクレセント錠を用いた防犯システム。
【請求項１３】
前記制御装置は、前記演算結果に付されているＩＤを照合する照合部と、照合の結果から異常な信号を送信したクレセント錠を特定する特定部と、特定されたクレセント錠に関する情報と共に警報信号を発する警報部と、を有することを特徴とする請求項１２に記載のクレセント錠を用いた防犯システム。
【請求項１４】
前記クレセント錠の通信部は、前記制御装置からの情報を受信するための受信部を備え、また、前記制御装置は前記クレセント錠に情報を送信するための送信部を備え、
前記クレセント錠の防犯機能の作動・不作動指令は、前記制御装置の送信部から前記クレセント錠の受信部に電波を介して送信されることを特徴とする請求項１２または１３記載のクレセント錠を用いた防犯システム。
【請求項１５】
前記クレセント錠の防犯機能が作動状態にある場合には、前記制御装置からの信号に応じて、前記クレセント錠の通信部は作動確認用信号を前記制御装置に向けて出力することを特徴とする請求項１４に記載のクレセント錠を用いた防犯システム。
【請求項１６】
前記制御装置は、前記警報を電話回線を介して端末装置に伝達するための接続装置を備えていることを特徴とする請求項１２に記載のクレセント錠を用いた防犯システム。
【発明の詳細な説明】
【技術分野】
【０００１】
本発明は、窓ガラスの破壊行為およびクレセント錠の開錠が検知できる防犯機能を有するクレセント錠およびそのクレセント錠を用いた防犯システムに関する
【背景技術】
【０００２】
従来、引き違い窓の防犯対策としては次のような手法が採られている。その第１の手法としては、たとえば下記特許文献１に開示されているように、引き違い窓の施錠装置であるクレセント錠を外側から開錠しにくい構造にしたものがある。万一、窓ガラスが破壊されたときでも窓の外側からクレセント錠が簡単に開錠できない構造としてあれば、さらに大きく窓ガラスを破壊しなければならず、侵入に手間取ることを狙ったものである。
【０００３】
さらに、その第２の手法としては、たとえば下記特許文献２に開示されているように、引き違い窓の開閉に先立ち、クレセント錠のハンドル操作を対向する２部材の相対位置を検知することによって侵入を報知できるようにしたものもある。
【特許文献１】特開２００３−３７１６号公報
【特許文献２】特開２００２−１０６２２１号公報
【発明の開示】
【発明が解決しようとする課題】
【０００４】
しかしながら、以上のような従来の手法を採用する場合には次のような問題が生じる。まず、外側から開錠しにくい構造にしたクレセント錠を既存のクレセント錠と取り替える手法を採用する場合には、錠本体収納部と錠受け収納部とをサッシ枠内に設けるため、枠の加工が必要であり、その取り替え作業は容易ではない。さらに、窓ガラスが破壊されてしまった後の侵入を阻む対策にしか過ぎないので、この対策は補助的な対策としかなりえない。
【０００５】
また、特許文献２に記載されているような、対向する２部材の位置の検出によるクレセント錠のレバーの動作や、クレセント錠自体が取り外されたことを検知できるクレセント錠を採用する場合には、窓が破壊されてしまった後の侵入を警報できるようにするための対策にしか過ぎない。
【０００６】
本発明は、以上のような従来の手法のさまざまな欠陥を解消するために成されたものであり、既存のクレセント錠との交換が容易であり、窓ガラスの破壊行為およびクレセント錠の開錠を検知でき、さらに、窓枠に取り付けられた係止片が施錠可能な位置にあるときにだけ施錠回転できる、防犯機能を有するクレセント錠およびそのクレセント錠を用いた防犯システムの提供を目的とする。
【課題を解決するための手段】
【０００７】
上記した課題を解決し、目的を達成するため、請求項１に記載の防犯機能を有するクレセント錠は、窓枠に取り付け可能なクレセントベースと、当該クレセントベースに回動自在に取り付けられたクレセント部材とを備えたクレセント錠であって、当該クレセント部材は、窓枠の振動および前記クレセント部材の変位を検知し得るセンサを備える。
【０００８】
請求項１にかかるクレセント錠は、たとえば、家屋内に侵入しようとする者が窓ガラスを割るために叩いたり、窓ガラスを切断したりしようとする時の窓枠の振動を、クレセント部材が備えるセンサによって検知することができる。また、万一窓ガラスの破壊行為を検知できなくても、クレセント錠を開錠するときのクレセント部材の変位によって確実に検知することができる。
【０００９】
このように、窓枠の振動およびクレセント部材の変位を検知し得るセンサをクレセント部材側にのみ備えるだけで２段階の検知が可能となる。
【００１０】
また、請求項５に記載の防犯機能を有するクレセント錠は、窓枠に取り付け可能なクレセントベースと、当該クレセントベースに回動自在に取り付けられたクレセント部材とを備えたクレセント錠であって、当該クレセント部材の変位を検知し得る変位検知センサが設けられ、前記窓枠とクレセントベースとの間に衝撃を検知する衝撃検知センサが設けられている。
【００１１】
請求項５にかかるクレセント錠は、窓ガラスの破壊行為を検出するための衝撃検知センサが窓枠とクレセントベースとの間に設けてある点で相違するが、請求項１にかかるクレセント錠と同一の作用、効果を奏することができる。
【００１２】
さらに、請求項１２に記載のクレセント錠を用いた防犯システムは、請求項９に記載の防犯機能を有するクレセント錠と、当該クレセント錠から電波を介して送信される演算結果による警報出力を受信し警報信号を発する制御装置とを有する。
【００１３】
クレセント錠が窓ガラスの破壊行為またはクレセント部材の変位を検知したときには警報出力が送信されるが、制御装置はこの警報出力を受信して警報を発する。警報出力は電波を介して無線で送られるので、クレセント錠と制御装置との間での配線は不要である。
【発明の効果】
【００１４】
以上説明したように、請求項１に記載のクレセント錠によれば、窓ガラスが割られる前後の破壊行為と、窓ガラスが割られてしまった後のクレセント部材の変位という２つの行為に対し、検知時刻を違えた２段階の検出が可能となる。また、既存のクレセント錠との交換が容易であり、窓ガラスの美観を損ねることがない。さらに、クレセント錠の設計は、既存のクレセント錠のクレセント部材のみを設計変更すればよく設計が容易である。
【００１５】
請求項５に記載のクレセント錠によれば、請求項１に記載のクレセント錠と同様の効果を奏する。
【００１６】
請求項１２に記載のクレセント錠を用いた防犯システムによれば、請求項１または５に記載のクレセント錠と同一の効果に加え、クレセント錠と制御装置との間での配線も不要になる。
【発明を実施するための最良の形態】
【００１７】
以下に添付図面を参照して、本発明にかかる防犯機能を有するクレセント錠およびそのクレセント錠を用いた防犯システムの好適な実施の形態を、１つの加速度センサを用いたクレセント錠に関する［実施の形態１］、圧電センサと傾斜センサとを用いたクレセント錠に関する［実施の形態２］、クレセントハンドルに被せるキャップ内に防犯機能を備えさせた［実施の形態３］に分けて詳細に説明する。
［実施の形態１］
実施の形態１は、窓ガラスの破壊行為とクレセントハンドルの回動行為を１つの加速度センサによって検知可能に構成されたクレセント錠およびそのクレセント錠を用いた防犯システムである。なお、本明細書において、「窓ガラスの破壊行為」とは、侵入者が窓ガラスを割ることを目的として窓や窓ガラスに衝撃を与える行為、ガラスカッターなどの工具を用いて窓ガラスの一部を切り取る行為を含めた意味を持っている。また、「クレセントハンドルの回動行為」とは、クレセント錠を開錠させるためにクレセントハンドルを傾ける行為をいう。
【００１８】
図１は、本実施の形態にかかるクレセント錠の概略構成図である。クレセント錠１０は、一方のアルミサッシなどの引き違い窓の窓枠５０にねじ止めされ、他方の引き違い窓に取り付けられた係止片（後述の図３参照）と対になって引き違い窓の施錠または開錠を行うものである。
【００１９】
クレセント錠１０は、窓枠５０に取り付け可能なクレセントベース１２と、クレセントベース１２に回動自在に取り付けられたクレセント１６と、回動軸１４に取り付けられクレセント１６を回動させるクレセントハンドル１８とを備えている。クレセント１６とクレセントハンドル１８とでクレセント部材を構成する。クレセント錠１０は、既存のクレセント錠と同一の取り付け方法により窓枠に取り付けることができる構造を採用している。したがって、本実施の形態のクレセント錠１０を既存のクレセント錠と容易に交換することができる。
【００２０】
クレセントハンドル１８内には、窓ガラス６０の破壊行為またはクレセントハンドル１８の回動行為の双方を検知することができる加速度センサ２０と、加速度センサ２０からの信号に基づいて窓ガラス６０の破壊行為またはクレセントハンドル１８の回動行為が行われたことを認識するマイクロコンピュータ２２と、窓ガラス６０の破壊行為またはクレセントハンドル１８の回動行為が認識されたときに電波を介して警報信号を送信する通信回路２４と、加速度センサ２０、マイクロコンピュータ２２および通信回路２４に電力を供給する電池２６と、通信回路２４から送信される警報信号に連動して警報音を発する圧電ブザー２８が設けられている。加速度センサ２０、マイクロコンピュータ２２、通信回路２４、電池２６は基板３０上に取り付けられる。
【００２１】
図２は、クレセントハンドル１８内に設けられている制御系の概略構成ブロック図である。マイクロコンピュータ２２には、加速度センサ２０、通信回路２４、電池２６、圧電ブザー２８、記憶部３２、検知感度調整ボリューム３４が接続される。
【００２２】
本実施の形態で用いている加速度センサ２０の構造を図１１に示す。加速度センサ２０は、窓ガラス６０の破壊行為に伴う振動を加速度の変化として検知するとともに、クレセントハンドル１８の回動行為に伴う変位を傾斜の変化として検知するものである。
【００２３】
その検知原理を次に詳述する。加速度発生により錘(可動電極２０Ａ)に力Ｆ(＝ｍａ)が発生し、錘が感度方向Ｘに向かって移動する。このことにより、錘となっている可動電極２０Ａと固定電極２０Ｂとの間の距離が変化し、静電容量が変化することになる。その変化を、静電容量を電圧に変換するＣＶ変換回路によって電圧に変換し加速度信号とする。
【００２４】
また、図１２(Ａ)、(Ｂ)は、図１１のセンサによる傾斜計測の原理を示すものである。これは、構造的には加速度センサと同様であるが、重力加速度(９．８ｍ／Ｓ２)を検知する点で異なる。すなわち、重力加速度の方向(鉛直方向)からの角度（θ）が感度方向への力(Ｆ＝ｍｇ)の分力(Ｆ・ｓｉｎθ)からセンサ出力として出力される。そして、上記と同様に電圧に変換され傾斜信号となる。また、加速度センサをＸ−Ｙ−Ｚの３軸検知型(たとえば、特開昭６３−２６６３５９号公報を参照)とすれば、３方向の振動や変位をさらに高分解能で検出することができる。
【００２５】
マイクロコンピュータ２２は、主にクレセント錠１０側の防犯機能に関する制御を担うものであり、本発明にかかるクレセント錠１０用に製作されたカスタムＩＣである。マイクロコンピュータ２２は、加速度センサ２０からの信号に基づいて窓ガラス６０の破壊行為またはクレセントハンドル１８の回動行為が行われたことを認識する。また、クレセント錠１０が施錠状態にあること、または開錠状態にあることをクレセントハンドル１８の回動位置（加速度センサ２０によって認識できる）から認識する。さらに、制御装置（後述する）からの防犯機能の作動指令を受けて加速度センサ２０からの信号の受付を開始する。そして、制御装置からの防犯機能の不作動指令を受けて、マイクロコンピュータ２２自体を含めた後述の受信部４４以外の電力供給を遮断する。したがって、不作動指令を受けた後は、受信部４４以外は作動しておらず、受信部４４のみが制御装置からの指令を待ち受ける待機状態となっている。受信部４４が制御装置から防犯機能の作動指令を受けたときには、受信部４４以外にも電力供給が開始される。このような省電力制御を行うのは、電池２６の交換寿命をできるだけ延ばしたいからである。
【００２６】
通信回路２４は、マイクロコンピュータ２２からの指令により警報信号を電波に載せて送信する送信部４２と、制御装置（後述する）から送信されてくる各種の情報（たとえば防犯機能の作動・不作動指令）を受信する受信部４４とを備えている。送信部４２およびおよび受信部４４にはアンテナ４６が接続されている。本実施の形態では、クレセントハンドル１８自体をアンテナとして用いている。
【００２７】
電池２６は、加速度センサ２０、マイクロコンピュータ２２、通信回路２４（送信部４２と受信部４４）、圧電ブザー２８、記憶部３２および検知感度調整ボリューム３４に電圧を印加して電力を供給する。電池２６の寿命は交換頻度が極力少なくなるようにしているが、電池２６の交換を考慮して、クレセントハンドル１８はその一部を取り外して電池交換ができる構造にしてある。
【００２８】
圧電ブザー２８は、侵入者を威嚇するに十分な音量の警報音が出力できるものでなければならないが、小型でも十分な音量のものも市場に存在するので、本実施の形態では一般的に流通している入手しやすいこのような圧電ブザーを用いている。
【００２９】
記憶部３２は、クレセント錠固有のＩＤを記憶するものでありＲＯＭによって構成される。このＲＯＭは基板３０上に取り付けられる。クレセント錠固有のＩＤは、クレセント錠ごとに異なる固有の番号であり、このＩＤはクレセント錠の製造段階でＲＯＭに書き込まれる。
【００３０】
検知感度調整ボリューム３４は、加速度センサ２０の検知感度を調整するためのボリュームである。検知感度調整ボリューム３４は基板３０上に取り付けられ、その感度の調整は製造段階で行われる。なお、本実施の形態では１つの検知感度調整ボリューム３４で感度の調整をしているが、窓ガラス６０の破壊行為とクレセントハンドル１８の回動行為を別々に検知するのであれば、それぞれの行為の個別検知ができるように、２つの検知感度調整ボリュームを設けても良い。
【００３１】
送信部４２は、マイクロコンピュータ２２によって窓ガラス６０の破壊行為またはクレセントハンドル１８の回動行為が認識されたとき、マイクロコンピュータ２２からの指令を受けて記憶部３２に記憶されているＩＤを読み込み、このＩＤを付して警報信号を送信する。送信部４２はまた、制御装置（後述する）から防犯機能の作動指令を受けてからその不作動指令を受けるまでの間、制御装置からの信号に応じて作動確認用信号を出力するようになっている。これは、クレセント錠側の防犯機能が正常に動作しているか否かを制御装置側で認識できるようにするためである。なお、この作動確認用信号を出力する際にもＩＤを付して送信する。送信部４２はさらに、防犯機能の作動指令を受けたときマイクロコンピュータ２２からの指令によりクレセント錠１０が施錠状態にあることを制御装置に報知する。この報知の際にもＩＤを付して送信する。クレセント錠１０が施錠されていないのにもかかわらず防犯機能が作動してしまうことを防止するためである。防犯機能の作動指令時にクレセント錠１０が施錠されていなければ、制御装置側に警報が発せられる。
【００３２】
受信部４４は、制御装置から送信されてくる各種の情報（たとえば防犯機能の作動・不作動指令）を受信し、マイクロコンピュータ２２に出力する。
【００３３】
図３は、本実施の形態にかかるクレセント錠１０が備える誤施錠防止装置の構成図である。この図は、窓枠５０Ａに取り付けねじ１１Ａ、１１Ｂで取り付けられているクレセント錠１０と窓枠５０Ｂに取り付けられている係止片５１とを窓の外側から見た斜視図である。
【００３４】
誤施錠防止装置７０は、クレセントベース１２に取り付けられている装置であり、引き違い窓が開いている状態ではクレセントハンドル１８を動かすことができないようにする装置である。
【００３５】
誤施錠防止装置７０は、スライドシャッター７２とこのスライドシャッター７２を図示矢印方向に進退可能に支持するスライドガイド７４とを備えている。スライドシャッター７２とスライドガイド７４は、クレセントベース１２の外側面（クレセント錠１０が窓枠５０Ａに取り付けられた状態で外側に位置する面）７１に取り付けられる。スライドシャッター７２の上下端７２Ａ、７２Ｂには、つる巻ばね７６Ａ、７６Ｂが挿入されるばね挿入突起７７Ａ、７７Ｂが形成されている。つる巻きばね７６Ａ、７６Ｂはばね挿入突起７７Ａ、７７Ｂに挿入され、つる巻きばね７６Ａ、７６Ｂの一端はばね挿入突起７７Ａ、７７Ｂの付け根部分に取り付けられる。
【００３６】
スライドシャッター７２の上下端７２Ａ、７２Ｂは、スライドガイド７４に形成されているガイド溝７４Ａ、７４Ｂ内に嵌め込まれ、つる巻ばね７６Ａ、７６Ｂの他端はガイド溝７４Ａ、７４Ｂの終端部７５Ａ、７５Ｂに取り付けられる。つる巻ばね７６Ａ、７６Ｂは常時縮む方向に弾発力が付与されるように形成してある。したがって、スライドシャッター７２はスライドガイド７４に支持された状態で常時図示右側方向に一定の弾発力で引っ張られる。
【００３７】
クレセントベース１２の外側の面７１には、クレセント１６（図１参照）がクレセントハンドル１８の回動に応じて出入りするクレセントガイド穴７８が開口されている。したがって、スライドシャッター７２が図示右側方向に引っ張られている状態（窓が開いている状態）ではスライドシャッター７２がクレセントガイド穴７８を塞いでしまうのでクレセント１６がクレセントガイド穴７８を出入りできず、クレセントハンドル１８を動かすことができない。
【００３８】
スライドシャッター７２は、係止片５１のフック５２と当接できる位置でスライドできるようにしてある。窓を閉めて行くと、スライドシャッター７２の端部７３がフック５２に当接し、さらに閉めて行くとフック５２がスライドシャッター７２を図示左方向に押して行く。窓が完全に閉められた状態ではスライドシャッター７２がクレセントガイド穴７８から完全に逃げた位置まで移動するので、クレセント１６がクレセントガイド穴７８を出入りできるようになり、クレセントハンドル１８を動かすことができる。
【００３９】
すなわち、窓が閉まっていないときには、スライドシャッター７２がクレセントガイド穴７８を塞いでしまうのでクレセントレバー１８を回動させることはできず、施錠をすることができない。一方、窓が閉まっているときには、スライドシャッター７２がクレセントガイド穴７８から完全に逃げた位置まで移動するので、クレセントハンドル１８を回動させることができ、クレセント１６が係止片５１のフック５２と係合できるようになって施錠可能な状態となる。
【００４０】
このように、誤施錠防止装置７０により、窓がきちんと閉まっていない状態でなければクレセントハンドル１８が回動しないようにでき、誤施錠を確実に防止できる。また、誤施錠防止装置７０のスライドシャッター７２は、窓が開いている状態ではクレセントガイド穴７８を覆う位置にあるので、クレセントベース１２の内部に、ごみ、埃、異物が侵入し難くなる。
【００４１】
図４は、図１のクレセントと制御装置とで構成される防犯システムの概略構成図である。本実施の形態にかかる防犯システムは、図４に示すように、図１および図２に記載したクレセント錠１０とクレセント錠１０から電波を介して送信される警報信号を受信し警報を発する制御装置８０とから構成される。図４では、本発明の理解を容易なものとするために、クレセント錠１０を１個だけ記載したが、実際には複数のクレセント錠１０が制御装置８０との間で防犯機能を作動させている。
【００４２】
なお、各クレセント錠１０と制御装置８０との間の通信は、微弱電波無線または特定省電力無線を用いる。微弱電波無線を用いると消費電力が少なくて済み、コストが安いといった利点があるが、電波の到達距離を長くできないという欠点がある。また、特定省電力無線を用いると微弱電波無線を用いるときとは相反する利点と欠点がある。したがって、どちらの無線方式を採用するかは、防犯システムの使用される環境に応じて決める。
【００４３】
図４に示すように、制御装置８０には、各クレセント錠１０と通信をするためのアンテナ８２と、防犯に関する種々の情報を表示するための液晶表示部８４と、各クレセント錠１０に防犯機能の作動指令または不作動指令を与えるための防犯／解除ＳＷ８６、制御装置８０から防犯機能の作動指令が送信されたときに、クレセント錠１０が施錠状態になっていない場合など、防犯に関する種々の不具合を表示するためのＬＥＤ８８Ａ、８８Ｂと、主に制御装置８０側の防犯機能に関する制御を担うマイクロコンピュータ９０と、制御装置８０が防犯機能の作動・不作動を制御するすべてのクレセント錠１０のＩＤを記憶する記憶部９２と、すべてのクレセント錠１０との間で通信を行う送受信モジュール９４と、窓ガラス６０の破壊行為またはクレセントハンドル１８の回動行為のいずれかが検知されたとき、または、防犯に関する種々の不具合が生じたときに警報音を発する警報部として機能する圧電ブザー９６、警報を、電話回線を介して携帯電話やパソコンなどの端末装置に伝達するためのモデム９８（接続装置）を備えている。
【００４４】
図５は、制御装置８０内に設けられている制御系の概略構成ブロック図である。マイクロコンピュータ９０には、液晶表示装置８４、防犯／解除ＳＷ８６、ＬＥＤ８８Ａ、８８Ｂ、記憶部９２、送受信モジュール９４、圧電ブザー９６、モデム９８、電源部１００が接続される。
【００４５】
液晶表示部８４は、文字を表示できる液晶パネルを用いている。液晶表示部８４は、防犯に関する種々の情報を表示する。たとえば、窓ガラス６０の破壊行為またはクレセントハンドル１８の回動行為をどのクレセント錠が検知したのかを表示したり、現在防犯機能が作動状態にあるのか不作動状態にあるのかを表示したり、防犯機能を作動状態とする指令を出力したときに施錠状態になっていないクレセント錠がどれであるのかを表示したりする。
【００４６】
防犯／解除ＳＷ８６は、各クレセント錠１０に防犯機能の作動指令または不作動指令を与えるために設けてあり、防犯側にセットしたときにはすべてのクレセント錠１０に防犯機能の作動指令が与えられ、クレセント錠１０は防犯機能を作動させる。また、解除側にセットしたときにはすべてのクレセント錠１０に防犯機能の不作動指令が与えられ、クレセント錠１０は防犯機能を解除する。
【００４７】
ＬＥＤ８８Ａ、８８Ｂは、防犯に関する種々の不具合を表示するために用いられ、たとえば、防犯機能の作動指令が送信されたときに、クレセント錠１０が施錠状態になっていない場合など、防犯に関して重大な不具合が生じている場合に点灯あるいは点滅する。
【００４８】
マイクロコンピュータ９０は、主に制御装置８０側の防犯機能に関する制御を担っている。マイクロコンピュータ９０には、各クレセント錠１０から送信される警報信号に付されているＩＤを照合する照合部９１と、照合部９１の照合結果により警報信号を送信しているクレセント錠１０を特定する特定部９３とを有している。
【００４９】
記憶部９２には、制御装置８０で防犯機能の作動・不作動を制御するすべてのクレセント錠１０のＩＤが記憶されている。記憶部９２にはＩＤ設定ＳＷ９５が接続され、記憶部９２に記憶させるＩＤはＩＤ設定ＳＷ９５から入力する。記憶部９２に記憶されているＩＤは書き換え可能とする必要があるため、記憶部９２はＲＡＭで構成してある。
【００５０】
照合部９１は、クレセント錠１０から送信された信号のＩＤを記憶部９２に記憶されているＩＤと照合し、特定部９３は、その照合結果からそのＩＤのクレセント錠１０を特定する。たとえば、防犯機能が作動状態にあるとき、制御装置８０からの信号に応じて各クレセント錠１０から作動確認信号が送信されてくる。マイクロコンピュータ９０は、特定部９３で特定された結果から、防犯機能が正常に作動しているクレセント錠１０がどれなのか、また、異常を生じているクレセント錠１０がどれであるのかを認識する。
【００５１】
送受信モジュール９４は、すべてのクレセント錠１０に種々の指令を送信するための送信部１０２と、各クレセント錠１０からの信号を受信する受信部１０４を有している。なお、送信部１０２から送信される信号にはＩＤは付していない。これは、制御装置８０から特定のクレセント錠１０にだけ信号を送信する必要がないからである。
【００５２】
圧電ブザー９６は、侵入者を威嚇するに十分な音量の警報音を発することができるものを用いる。なお、圧電ブザー９６に代えてスピーカーを用いても良い。
【００５３】
モデム９８は、警報を、電話回線を介して携帯電話やパソコンなどの端末装置に伝達するために設けられている。不法侵入が行われようとしているとき、または不法侵入が行われたときに、そのことを携帯電話で知らせることができれば、その侵入に対して逸早く対処することができる。なお、モデム９８に代えてルータを使用しても良い。
【００５４】
電源部１００は、商用電圧を制御装置８０の作動電圧（たとえば１２Ｖ）に変換し、制御装置８０の構成要素に電力を供給するためのものであり、供給される電力の切断、停電に備えて蓄電池を設けてもよい。
【００５５】
次に、本発明にかかる防犯システムの概略の動作を説明する。図６は、図４に示す防犯システムの動作フローチャートである。
【００５６】
まず、マイクロコンピュータ９０は、防犯／解除ＳＷ８６が防犯側にセットされているか否かを判断し（Ｓ１）、防犯側に設定されていれば（Ｓ１：ＹＥＳ）、送信部９４およびアンテナ８２を介して防犯機能の作動指令をすべてのクレセント錠１０に向けて送信する（Ｓ２）。一方、防犯／解除ＳＷ８６が解除側にセットされていれば（Ｓ１：ＮＯ）、何もせずに待機する。この場合、すべてのクレセント錠１０のマイクロコンピュータ２２は不作動状態になっており、受信部４４のみが待機状態となる。
【００５７】
すべてのクレセント錠１０が防犯機能の作動指令を受信すると、クレセント錠１０の制御系のすべての構成要素への電力供給が開始され、マイクロコンピュータ２２が不作動状態から作動状態に移行し、すべてのクレセント錠１０の防犯機能が作動する（Ｓ３）。
【００５８】
なお、防犯機能の作動指令が送信されたときに、施錠状態になっていないクレセント錠１０がある場合には（Ｓ４：ＹＥＳ）、開錠状態であることを示す信号がそのクレセント錠１０からそのクレセント錠のＩＤとともに送信される（Ｓ５）。制御装置８０は、このことを報知するため、液晶表示装置８４に施錠状態になっていないクレセント錠がどれであるのかを表示し、また、ＬＥＤ８８Ａを点滅させ、圧電ブザー９６から警報音を発する（Ｓ６）。この警報によって、住人は閉まっていない窓がどれであるのかを知ることができる。
【００５９】
すべてのクレセント錠１０が施錠状態になっていれば（Ｓ４：ＮＯ）、すべてのクレセント錠１０の防犯機能が作動している間は、制御装置８０からの作動確認用の定時送信に応えるため、各クレセント錠１０から一定間隔で作動確認用信号が出力される（Ｓ７）。この作動確認用信号にはそのクレセント錠独自のＩＤが付されている。制御装置８０側ではこの作動確認用信号に基づいて正常に動作しているクレセント錠、または異常になっているクレセント錠を把握する。
【００６０】
すべてのクレセント錠１０の防犯機能が作動中に、加速度センサ２０が窓ガラス６０の破壊行為またはクレセントハンドル１８の回動行為を検知したときには（Ｓ８：ＹＥＳ）、そのクレセント錠１０から警報信号が送信され、同時に圧電ブザー２８から警報音が発せられる。また、制御装置８０はこの警報信号を受信して圧電ブザー９６を鳴らし、液晶表示部８４に窓ガラス６０の破壊行為またはクレセントハンドル１８の回動行為をどのクレセント錠が検知したのかを表示する（Ｓ６）。なお、この警報信号にはそのクレセント錠独自のＩＤが付されている。したがって、制御装置８０側では警報信号に付されているＩＤから不法侵入が行われようとしている窓、不法侵入が行われた窓を把握することができる。
【００６１】
また、すべてのクレセント錠１０の防犯機能が作動中に、いずれかのクレセント錠１０から作動確認用信号が送信されて来なくなったときにも（Ｓ８：ＹＥＳ）、制御装置８０はＬＥＤ８８Ａ、８８Ｂを点滅させたり、圧電ブザー９６を鳴らしたりして、異常の発生を知らせる（Ｓ６）。
【００６２】
一方、すべてのクレセント錠１０の防犯機能が作動中に、異常が生じなければ（Ｓ８：ＮＯ）、防犯／解除ＳＷ８６が解除側にセットされるまで以上の処理を繰り返し（Ｓ９：ＮＯ）、防犯／解除ＳＷ８６が解除側にセットされたら（Ｓ９：ＹＥＳ）、すべてのクレセント錠１０に防犯機能の不作動指令を出力して防犯機能を解除する。すべてのクレセント錠１０は防犯機能の不作動信号を受信すると、マイクロコンピュータ２２を不作動状態にし、受信部４４を待機状態に移行させ、電池２６の消耗を防止する（Ｓ１０）。
［実施の形態２］
実施の形態２は、窓ガラスの破壊行為を衝撃検知センサとして機能する圧電センサによって、また、クレセントハンドルの回動行為を変位検知センサとして機能する傾斜センサによって、それぞれ検知可能に構成されたクレセント錠およびそのクレセント錠を用いた防犯システムである。
【００６３】
図７は、本実施の形態にかかるクレセント錠の概略構成図である。クレセント錠１０Ａは、窓枠５０に取り付け可能なクレセントベース１２と、クレセントベース１２に回動自在に取り付けられたクレセント１６と、回動軸１４に取り付けられクレセント１６を回動させるクレセントハンドル１８とを備えている。クレセント錠１０は、実施の形態１と同じく、既存のクレセント錠と同一の取り付け方法により窓枠に取り付けることができる構造を採用している。
【００６４】
クレセントベース１２の窓枠５０との当接面１３には、窓ガラスの破壊行為を検知することができる圧電センサ１５が取り付けられている。圧電センサ１５は、所望の検知精度を維持するため、窓枠５０の表面に一定の圧力の範囲内でしっかりと押し付けられた状態で取り付けられなければならない。したがって、図示はしていないが、クレセントベース１２と圧電センサ１５との間にシート状の弾性材を介在させ、クレセントベース１２を窓枠５０に取り付ける際のねじ締めの程度によらず、圧電センサ１５が一定の圧力で窓枠５０側に押し付けられるようにしてある。
【００６５】
クレセントハンドル１８内には、クレセントハンドル１８の回動行為を検知することができる傾斜センサ２１と、圧電センサ１５および傾斜センサ２１からの信号に基づいて窓ガラス６０の破壊行為またはクレセントハンドル１８の回動行為が行われたことを認識するマイクロコンピュータ２２と、窓ガラス６０の破壊行為またはクレセントハンドル１８の回動行為が認識されたときに電波を介して警報信号を送信する通信回路２４と、傾斜センサ２１、マイクロコンピュータ２２および通信回路２４に電力を供給する電池２６（圧電センサ１５は、自己発電型のセンサであるので、電力の供給は不要である）と、通信回路２４から送信される警報信号に連動して警報音を発する圧電ブザー２８が設けられている。傾斜センサ２１、マイクロコンピュータ２２、通信回路２４、電池２６は基板３０上に取り付けられる。また、圧電センサ１５は基板３０との間で配線されている。
【００６６】
なお、本実施の形態では変位検知センサとして傾斜センサ２１を用いたが、傾斜センサ２１に代えて、実施の形態１の加速度センサを用いても良い。
【００６７】
図８は、クレセントベース１２およびクレセントハンドル１８内に設けられている制御系の概略構成ブロック図である。
【００６８】
マイクロコンピュータ２２には、圧電センサ１５、傾斜センサ２１、通信回路２４、電池２６、圧電ブザー２８、記憶部３２、圧電センサ用検知感度調整ボリューム３５が接続される。
【００６９】
図８を図２と比較すれば明らかなように、本実施の形態の制御系は、実施の形態１の制御系とは、圧電センサ１５と傾斜センサ２１を使用していること、および圧電センサ１５の感度調整用ボリューム３５を設けていることが相違しているのみであり、その他の構成要素およびそれらの構成要素の機能は全く同一である。したがって、重複記載となるため、図２と重複する構成要素に関する説明は省略する。
【００７０】
圧電センサ１５は、振動や衝撃が加えられたときに電圧を生じる圧電素子を用いたセンサである。圧電センサ１５は、振動や衝撃によって自ら電圧を出力するセンサであるので、電力の供給が不要であり、省電力型のセンサである。
【００７１】
傾斜センサ２１は、クレセントレバー１８が一定の角度を超えると内蔵されているスイッチがＯＮするように構成されているスイッチであり、そのスイッチはクレセント錠１０Ａが開錠状態にあるときにはＯＦＦされ、施錠状態にあるときにはＯＮされ、施錠状態から開錠状態に移行するためクレセントレバー１８が一定の角度まで回動されたときにはＯＮからＯＦＦになる。傾斜センサ２１には電池２６の電圧が印加されているが、この電圧はマイクロコンピュータ２２がこのスイッチのＯＮ、ＯＦＦを検知できるようにするために印加しているだけであるので、電力はほとんど消費しない。
【００７２】
したがって、本実施の形態のクレセント錠１０Ａは、圧電センサ１５と傾斜センサ２１がほとんど電力を消費しないため、実施の形態１のクレセント錠１０と比較して節電型といえ、電池寿命を延ばすことができる。
【００７３】
圧電センサ用検知感度調整ボリューム３５は、圧電センサ１５の検知感度を調整するためのボリュームである。圧電センサ用検知感度調整ボリューム３５は基板３０上に取り付けられ、その感度の調整は製造段階で行われる。
【００７４】
本実施の形態のクレセント錠１０Ａも実施の形態１と同じく、制御装置との間で交信をしながら防犯機能を作動させる。制御装置との間で行われる防犯機能の動作は実施の形態１の動作と全く同じ動作であるので、その説明は省略する。
［実施の形態３］
実施の形態３は、実施の形態１および実施の形態２のように、クレセントハンドル内に防犯機能を備えさせるのではなく、クレセントハンドルに被せるキャップ内に防犯機能を備えさせるものである。
【００７５】
実施の形態３は、窓ガラスの破壊行為とクレセントハンドルの回動行為を１つの加速度センサによって検知可能に構成したクレセントハンドルキャップである。
【００７６】
図９は、クレセント錠に取り付け前のクレセントハンドルキャップを示す図であり、同図（Ａ）は正面図を、同図（Ｂ）は側面図を示す。また、図１０は、クレセントハンドルキャップをクレセント錠に取り付けた状態を示す図であり、同図（Ａ）は正面図を、同図（Ｂ）は側面図を示す。
【００７７】
クレセント錠１０は、窓枠５０に取り付け可能なクレセントベース１２と、クレセントベース１２に回動自在に取り付けられたクレセント１６と、回動軸１４に取り付けられクレセント１６を回動させるクレセントハンドル１８とを備えている。
【００７８】
クレセントハンドルキャップ１２０内には、実施の形態１と同様に、窓ガラス６０の破壊行為またはクレセントハンドル１８の回動行為の双方を検知することができる加速度センサ２０と、加速度センサ２０からの信号に基づいて窓ガラス６０の破壊行為またはクレセントハンドル１８の回動行為が行われたことを認識するマイクロコンピュータ２２と、窓ガラス６０の破壊行為またはクレセントハンドル１８の回動行為が認識されたときに電波を介して警報信号を送信する通信回路２４と、加速度センサ２０、マイクロコンピュータ２２および通信回路２４に電力を供給する電池２６と、通信回路２４から送信される警報信号に連動して警報音を発する圧電ブザー２８が設けられている。加速度センサ２０、マイクロコンピュータ２２、通信回路２４、電池２６は基板３０上に取り付けられる。
【００７９】
クレセントハンドルキャップ１２０には、クレセントハンドル１８に挿入してクレセントハンドルキャップ１２０をクレセントハンドル１８に固定するためのクレセントハンドル挿入部１２５が形成されている。クレセントハンドル挿入部１２５には、クレセントハンドルキャップ１２０をクレセントハンドル１８に堅固に固定させるための取り付けビス１３０Ａ、１３０Ｂが取り付けられている。なお、クレセントハンドルキャップ１２０が取り外された場合には、内蔵された加速度センサ２０がその変動を検知し、上記と同様に警報信号が発せられる。
【００８０】
クレセントハンドルキャップ１２０をクレセントハンドル１８に取り付ける場合、クレセントハンドル挿入部１２５内にクレセントハンドル１８を図１０に示すように差し込み、取り付けビス１３０Ａ、１３０Ｂを締め付ける。この締め付けによって、クレセントハンドルキャップ１２０がクレセントハンドル１８と一体的に取り付けられる。なお、クレセントハンドルキャップ１２０が取り付けられた後は、クレセント錠１０の施開錠はクレセントハンドルキャップ１２０を持って行うことになるので、クレセントハンドルキャップ１２０は施開錠時の荷重に十分耐えることができるように構成しておく。
【００８１】
クレセントハンドルキャップ１２０を種々の大きさ、形状のクレセントハンドル１８に対応できるようにしておけば、既存のクレセント錠に容易に後付けすることができる。
【００８２】
なお、クレセントハンドルキャップ１２０が備える加速度センサ２０、マイクロコンピュータ２２などの制御系の構成要素およびその構成要素の機能は、実施の形態１と全く同一である。したがって、重複記載となるためその説明は省略する。また、本実施の形態のクレセントハンドルキャップ１２０も実施の形態１と同じく、制御装置との間で交信をしながら防犯機能を作動させる。制御装置との間で行われる防犯機能の動作は実施の形態１の動作と全く同じ動作であるので、その説明は省略する。
【００８３】
以上のように、［実施の形態１］と［実施の形態２］のクレセント錠およびそのクレセント錠を用いた防犯システム並びに［実施の形態３］のクレセントハンドルキャップによれば、次のような種々の効果を奏する。
【００８４】
窓ガラスの破壊行為およびクレセント錠の開錠を１つの加速度センサにより、または窓ガラスの破壊行為を圧電センサにより、クレセント錠の開錠を傾斜センサまたは加速度センサにより、それぞれ検出できるようにしているので、窓ガラスが割られる前後の破壊行為と、窓ガラスが割られてしまった後のクレセントハンドルの回動行為という２つの行為に対し、検知時刻を違えた２段階の検出をすることができる。
【００８５】
クレセントハンドルに警報音を発生するブザーを設けているので、密閉性の高い住宅においても、侵入者を効果的に威嚇することができる。
【００８６】
クレセント錠の送信部は、そのクレセント錠に設けられている固有のＩＤを付して警報信号を送信し、また、制御装置はそのＩＤを照合した上で警報を発するので、侵入しようとしている窓を特定できるだけでなく、本発明と同一の装置を設置している隣接世帯の制御装置の誤警報を防止できる。
【００８７】
また、クレセント錠には誤施錠防止装置が取り付けられているので、クレセントを係止片に確実に嵌め込むことができる施錠可能な位置にあるときにだけクレセントハンドルが回動（施錠）でき、クレセントが係止片に嵌め込まれていない状態で防犯機能が作動されてしまうことを防止できる。
【００８８】
本発明のクレセント錠は、既存のクレセント錠と同一の取り付け方法により窓枠に取り付けることができる構造を採用しているので、簡単にその交換ができ、窓ガラスの美観を損ねることがなく、クレセント錠からの警報信号は電波を介して送信されるので、制御装置との間の配線作業が不要である。
【００８９】
本発明のクレセント錠は、防犯機能をクレセントハンドル内に持たせたので、クレセント錠を設計するにあたっては、既存のクレセント錠の本体の機能、機構はそのままにして、クレセントハンドルのみの設計をすればよくその設計は容易である。
【００９０】
制御装置は、クレセント錠からの警報信号を受信してブザーにより警報を発するので、侵入者を効果的に威嚇することができる。また、この警報は、電話回線を介して端末装置に伝達できるようにしてあるので、その世帯の住人は携帯電話やパソコンで侵入者の存在を知ることができる。
【００９１】
防犯機能の作動・不作動は制御装置から送信することができ、防犯機能が不作動とされているときにはクレセント錠の受信部のみが作動する省電力状態となるので、電池寿命を延ばすことができる。
【００９２】
なお、防犯機能が作動状態にあるとき、電池の電圧がある程度以下になっている場合には、クレセント錠の通信回路からそのＩＤとともに電池切れの信号を送信するようにしても良い。このようにすれば、制御装置はどのクレセント錠が電池切れか否かを把握することができ、防犯の信頼性を高めることができる。
【００９３】
また、防犯機能が作動しているときには、制御装置から信号の送信が行われ、クレセント錠の通信回路からは、この送信に応じて作動確認信号が出力されるようになっているので、制御装置はクレセント錠の防犯機能が正常に動作しているか否かを認識することができ、防犯装置として高い信頼性を維持できる。
【００９４】
なお、以上の実施の形態では、センサとして圧電センサ、傾斜センサ、加速度センサを例示したが、窓ガラスに加えられた衝撃やクレセントハンドルの回動を検知できるセンサであれば、以上のセンサに代えてそのセンサを用いることも可能である。
【００９５】
さらにまた、クレセントハンドルに人間の体温を精度良く感知できる小型の赤外線センサを取り付ければ、侵入者が窓ガラスの破壊行為を開始する前に警報を発することができ、侵入の抑止力をさらに高めることができる。
【産業上の利用可能性】
【００９６】
本発明にかかる防犯機能を有するクレセント錠およびそのクレセント錠を用いた防犯システムは、既存のクレセント錠との交換が容易であるばかりでなく、防犯機能が従来のものより格段に向上しているので、クレセント錠の分野において利用できる。
【図面の簡単な説明】
【００９７】
【図１】実施の形態１にかかるクレセント錠の概略構成図である。
【図２】図１のクレセントハンドル内に設けられている制御系の概略構成ブロック図である。
【図３】図１のクレセント錠が備える誤施錠防止装置の構成図である。
【図４】図１のクレセントと制御装置とで構成される防犯システムの概略構成図である。
【図５】制御装置内に設けられている制御系の概略構成ブロック図である。
【図６】図４に示す防犯システムの動作フローチャートである。
【図７】実施の形態２にかかるクレセント錠の概略構成図である。
【図８】図７のクレセントベースおよびクレセントハンドル内に設けられている制御系の概略構成ブロック図である。
【図９】実施の形態３にかかるキャップ式防犯装置の概略構成図である。
【図１０】キャップ式防犯装置をクレセントハンドルに装着した状態を示す図である。
【図１１】本発明にかかるクレセント錠で用いる加速度センサの構造を示す図である。
【図１２】図１１の加速度センサの傾斜計測の原理説明に供する図である。
【符号の説明】
【００９８】
１０、１０Ａ…クレセント錠、
１１Ａ、１１Ｂ…取り付けねじ、
１２…クレセントベース、
１３…クレセントベースの当接部、
１４…回動軸、
１５…圧電センサ、
１６…クレセント、
１８…クレセントハンドル、
２０…加速度センサ、
２０Ａ…可動電極、
２０Ｂ…固定電極、
２２…マイクロコンピュータ、
２４…通信回路、
２６…電池、
２８…圧電ブザー、
３０…基板、
３２…記憶部、
３４…検知感度調整ボリューム、
３５…圧電センサ用検知感度調整ボリューム、
４２…送信部、
４４…受信部、
４６…アンテナ、
５０、５０Ａ、５０Ｂ…窓枠、
５１…係止片、
５２…フック、
６０…窓ガラス、
７０…誤施錠防止装置、
７１…外側面、
７２…スライドシャッター、
７２Ａ、７２Ｂ…スライドシャッターの上下端、
７３…スライドシャッターの端部、
７４…スライドガイド、
７４Ａ、７４Ｂ…ガイド溝、
７５Ａ、７５Ｂ…終端部、
７６Ａ、７６Ｂ…つる巻ばね、
７７Ａ、７７Ｂ…ばね挿入突起、
７８…クレセントガイド穴、
８０…制御装置、
８２…アンテナ、
８４…液晶表示部、
８６…防犯／解除ＳＷ、
８８Ａ、８８Ｂ…ＬＥＤ、
９０…マイクロコンピュータ、
９１…照合部、
９２…記憶部、
９３…特定部、
９４…送受信モジュール、
９５…ＩＤ設定ＳＷ、
９６…圧電ブザー、
９８…モデム、
１００…電源回路、
１０２…送信部、
１０４…受信部、
１２０…クレセントハンドルキャップ、
１２５…クレセントハンドル挿入部、
１３０Ａ、１３０Ｂ…取り付けビス。
【図１】
2005036572.tif 000003
【図２】
2005036572.tif 000004
【図３】
2005036572.tif 000005
【図４】
2005036572.tif 000006
【図５】
2005036572.tif 000007
【図６】
2005036572.tif 000008
【図７】
2005036572.tif 000009
【図８】
2005036572.tif 000010
【図９】
2005036572.tif 000011
【図１０】
2005036572.tif 000012
【図１１】
2005036572.tif 000013
【図１２】
2005036572.tif 000014